(57)【特許請求の範囲】
【請求項１】
液化燃料の燃焼ガスを作動媒体とするガスタービン、及び該燃焼ガスとの熱交換により得られた蒸気を作動媒体とする蒸気タービンの双方の作動により発電機で発電を行う火力発電所における、蒸気を冷却するための冷却水として海水を取水する際に取水ラインに流入するクラゲ等の海棲生物の処理方法であって、
液化燃料の貯蔵タンクから液化燃料をタービンに供給するための供給ラインに、熱交換器を介して処理タンクが接続され、該処理タンクに、バルブを介して真空ポンプが接続された発電所において、バルブを閉じ、供給ラインにおける液化燃料の気化熱を用いて処理タンク内が冷却された状態で、取水ラインから回収したクラゲ等を処理タンク内に投入し、冷凍する工程と、バルブを開け、真空ポンプを作動させて、冷凍されたクラゲ等を真空凍結乾燥する工程とを備えてなることを特徴とするクラゲ等の海棲生物の処理方法。
【請求項２】
液化燃料の燃焼ガスとの熱交換により得られた蒸気を作動媒体とする蒸気タービンの作動により発電機で発電を行う火力発電所における、蒸気を冷却するための冷却水として海水を取水する際に取水ラインに流入するクラゲ等の海棲生物の処理方法であって、
液化燃料の貯蔵タンクから液化燃料をタービンに供給するための供給ラインに、熱交換器を介して処理タンクが接続され、該処理タンクに、バルブを介して真空ポンプが接続された発電所において、バルブを閉じ、供給ラインにおける液化燃料の気化熱を用いて処理タンク内が冷却された状態で、取水ラインから回収したクラゲ等を処理タンク内に投入し、冷凍する工程と、バルブを開け、真空ポンプを作動させて、冷凍されたクラゲ等を真空凍結乾燥する工程とを備えてなることを特徴とするクラゲ等の海棲生物の処理方法。
【発明の詳細な説明】
【技術分野】
【０００１】
本発明は、海水取水ラインへ流入したクラゲ等の海棲生物の処理方法に関する。
【背景技術】
【０００２】
海岸に近い火力発電所の復水器には、大量の冷却水を必要とすることから、海水を冷却水として使用している。この海水の取水のための取水路（取水ライン）には、大量のクラゲや海水藻等の浮遊性海棲生物が押し寄せる。これらクラゲ等を放置すると、配管閉塞、海水取水量の低下、冷却効率の低下等、様々な障害を引き起こすため、例えば取水口にスクリーンを設け、押し寄せたクラゲ等を掻き揚げて回収し、産業廃棄物として処理しているのが通常である。
【０００３】
かかる産業廃棄物としての処理方法としては、埋め立て、焼却及び発酵等による処理が一般的であるが、クラゲの成分は水分が約９５％、タンパク質等の有機物が約５％からなり、しかも大量の海水が混入しているので、引き取りも困難な状況であり、廃棄処理コストが高くなる。また、特に夏場にはクラゲ等の発生量が多いことも相俟って、魚の腐敗したような臭気の発生も問題となってくる。
【０００４】
回収したクラゲ等の処理方法としては、クラゲ等を破砕して懸濁水とし、この懸濁水を凝集沈殿処理する方法（特許文献１）や、クラゲ等を破砕して脱水し、脱水濾液を酸化等により浄化する方法（特許文献２）が公知である。
【特許文献１】特開平４−４８９８６号
【特許文献２】特公平１−３１３４３号
【発明の開示】
【発明が解決しようとする課題】
【０００５】
これに対し、本発明は、これら従来の方法とは異なる新規斬新な方法により、クラゲ等を減容化させて廃棄処理コストを低減すると共に、悪臭の発生を抑えるものである。
【課題を解決するための手段】
【０００６】
本発明に係るクラゲ等の海棲生物の処理方法は、液化燃料の燃焼ガスを作動媒体とするガスタービン、及び該燃焼ガスとの熱交換により得られた蒸気を作動媒体とする蒸気タービンの双方の作動により発電機で発電を行う火力発電所における、蒸気を冷却するための冷却水として海水を取水する際に取水ラインに流入するクラゲ等の海棲生物の処理方法であって、液化燃料の貯蔵タンクから液化燃料をタービンに供給するための供給ラインに、熱交換器を介して処理タンクが接続され、該処理タンクに、バルブを介して真空ポンプが接続された発電所において、バルブを閉じ、供給ラインにおける液化燃料の気化熱を用いて処理タンク内が冷却された状態で、取水ラインから回収したクラゲ等を処理タンク内に投入し、冷凍する工程と、バルブを開け、真空ポンプを作動させて、冷凍されたクラゲ等を真空凍結乾燥する工程とを備えてなることを特徴とする。
【０００７】
かかる発電所は、液化燃料を気化させて燃焼させ、この燃焼ガスを作動媒体としてガスタービンに導くと共に、この燃焼ガスとの熱交換により水を蒸気とし、この蒸気を作動媒体として蒸気タービンに導くことにより、ガスタービン及び蒸気タービンの双方を回して発電機で発電を行うシステム構成である。かかる発電所は、蒸気タービンを回した後の蒸気を冷却するために海水を冷却水として利用しており、そのため、その取水ラインにクラゲ等が流入してしまう。そこで、本発明は、回収したクラゲ等を液化燃料の気化熱を用いて冷凍し、冷凍されたクラゲ等を真空凍結乾燥するものである。
【０００８】
また、別の発明に係るクラゲ等の海棲生物の処理方法は、液化燃料の燃焼ガスとの熱交換により得られた蒸気を作動媒体とする蒸気タービンの作動により発電機で発電を行う火力発電所における、蒸気を冷却するための冷却水として海水を取水する際に取水ラインに流入するクラゲ等の海棲生物の処理方法であって、液化燃料の貯蔵タンクから液化燃料をタービンに供給するための供給ラインに、熱交換器を介して処理タンクが接続され、該処理タンクに、バルブを介して真空ポンプが接続された発電所において、バルブを閉じ、供給ラインにおける液化燃料の気化熱を用いて処理タンク内が冷却された状態で、取水ラインから回収したクラゲ等を処理タンク内に投入し、冷凍する工程と、バルブを開け、真空ポンプを作動させて、冷凍されたクラゲ等を真空凍結乾燥する工程とを備えてなることを特徴とする。
【０００９】
かかる発電所は、液化燃料を気化させて燃焼させ、この燃焼ガスとの熱交換により水を蒸気とし、この蒸気を作動媒体として蒸気タービンに導くことにより、蒸気タービンを回して発電機で発電を行うシステム構成である。かかる発電所は、蒸気タービンを回した後の蒸気を冷却するために海水を冷却水として利用しており、そのため、その取水ラインにクラゲ等が流入してしまう。そこで、本発明は、回収したクラゲ等を液化燃料の気化熱を用いて冷凍し、冷凍されたクラゲ等を真空凍結乾燥するものである。
【発明の効果】
【００１０】
以上の如く、本発明に係るクラゲ等の海棲生物の処理方法は、真空凍結乾燥により、クラゲ等の成分の大半を占める水分を除去することで、減容化を図ることができるため、廃棄処理コストを低減することができる。また、クラゲ等は水分が乾燥されるため、悪臭の発生も抑えることができる。
【発明を実施するための最良の形態】
【００１１】
＜第一実施形態＞
まず、第一実施形態に係るクラゲ等の海棲生物の処理方法が実施される発電所のシステム構成について、図１を参酌しつつ説明する。
【００１２】
液化燃料としてのＬＮＧ（液化天然ガス）は、貯蔵タンク１に貯蔵されており、そこから供給ライン２を介して燃焼器３に送られて燃焼され、その燃焼ガスがガスタービン４に導かれる。そして、ガスタービン４が回ると、発電機５が回り、発電が行われる。
【００１３】
また、燃焼ガスは、排気ダクト６を介して煙突７から排気されるが、排気ダクト６内には、蒸発器８が配置されており、該蒸発器８内の水は、燃焼ガスと熱交換されて蒸気となり、該蒸気が蒸気タービン９に導かれる。そして、蒸気タービン９が回ると、ガスタービン４の回転と相俟って、より高速に発電機５が回り、発電効率が高められる。
【００１４】
蒸気タービン９を回した後の蒸気は、循環ポンプ１１によって海中の取水口１０から取り入れられて復水器１２内に供給された海水によって冷却され、水に戻る。そして、復水器１２内の水は、給水ポンプ１３によって蒸発器８に供給され、ここで蒸気となって再び蒸気タービン９に導かれ、蒸気タービン９を回した後、復水器１２内に戻る循環経路をたどる。一方、蒸気を冷却した海水は、復水器１２内での水との熱交換後、放出口１４から海中に放出される。
【００１５】
また、ＬＮＧの供給ライン２上には、熱交換器１５を介して処理タンク１６が接続され、供給ライン２におけるＬＮＧの気化熱を用いて処理タンク１６内を冷却することができる。また、処理タンク１６には、真空ポンプ１７が接続され、処理タンク１６内を真空状態にすることができる。
【００１６】
第一実施形態に係る発電所のシステム構成は、以上の如くであり、次に、クラゲの処理方法について説明する。
【００１７】
まず、取水ラインに流入したクラゲを回収し、この回収したクラゲを処理タンク１６内に投入する。このとき、真空ポンプ１７側のバルブ１８は閉じておく。すると、処理タンク１６内は、ＬＮＧの気化熱により冷却されているため、投入されたクラゲは所定時間が経過すると、冷凍状態になる。尚、クラゲの回収方法は、周知であり、言及を割愛する。
【００１８】
その状態で、バルブ１８を開け、真空ポンプ１７を作動させて、処理タンク１６内の真空脱気を行う。真空状態となると、水の沸点が低くなる。例えば処理タンク１６内の気圧が０．８Torrでは、沸点は−２０℃、０．０３Torrでは、沸点は−５０℃となる。処理タンク１６内のクラゲは、冷凍により氷点下にまで冷却されているため、クラゲの水分は、冷凍による固体状態から昇華して処理タンク１６内に放出される。この理屈が真空凍結乾燥である。
【００１９】
そして、この真空凍結乾燥により、クラゲの成分の大半を占める水分は除去され、クラゲは減容化される。さらに、この処理を終えたクラゲは、産業廃棄物として、埋め立てや焼却処理がなされる。このように、クラゲは減容化されるため、廃棄処理コストを低減することができる。また、クラゲは水分が除去された乾燥状態となるため、悪臭の発生も抑えられる。
【００２０】
＜第二実施形態＞
まず、第二実施形態に係るクラゲ等の海棲生物の処理方法が実施される発電所のシステム構成について、図２を参酌しつつ説明する。尚、第一実施形態と同一構成あるいはこれに類する構成は、同一符号を付することとする。
【００２１】
液化燃料としてのＬＮＧは、貯蔵タンク１に貯蔵されており、そこから供給ライン２を介してボイラ３’に送られて燃焼され、しかる後、煙突７から排気されるが、ボイラ３’内には、蒸気用配管８’が配置されており、該蒸気用配管８’内の水は、燃焼ガスと熱交換されて蒸気となり、該蒸気が蒸気タービン９に導かれる。そして、蒸気タービン９が回ると、発電機５が回り、発電が行われる。
【００２２】
蒸気タービン９を回した後の蒸気は、循環ポンプ１１によって海中の取水口１０から取り入れられて復水器１２内に供給された海水によって冷却され、水に戻る。そして、復水器１２内の水は、蒸気用配管８’内を通り、ここで蒸気となって再び蒸気タービン９に導かれ、蒸気タービン９を回した後、復水器１２内に戻る循環経路をたどる。一方、蒸気を冷却した海水は、復水器１２内での水との熱交換後、放出口１４から海中に放出される。
【００２３】
また、ＬＮＧの供給ライン２上には、熱交換器１５を介して処理タンク１６が接続され、供給ライン２におけるＬＮＧの気化熱を用いて処理タンク１６内を冷却することができる。また、処理タンク１６には、真空ポンプ１７が接続され、処理タンク１６内を真空状態にすることができる。
【００２４】
第二実施形態に係る発電所のシステム構成は、以上の如くであり、次に、クラゲの処理方法について説明する。
【００２５】
まず、取水ラインに流入したクラゲを回収し、この回収したクラゲを処理タンク１６内に投入する。このとき、真空ポンプ１７側のバルブ１８は閉じておく。すると、処理タンク１６内は、ＬＮＧの気化熱により冷却されているため、投入されたクラゲは所定時間が経過すると、冷凍状態になる。尚、クラゲの回収方法は、周知であり、言及を割愛する。
【００２６】
その状態で、バルブ１８を開け、真空ポンプ１７を作動させて、処理タンク１６内の真空脱気を行う。真空状態となると、水の沸点が低くなる。例えば処理タンク１６内の気圧が０．８Torrでは、沸点は−２０℃、０．０３Torrでは、沸点は−５０℃となる。処理タンク１６内のクラゲは、冷凍により氷点下にまで冷却されているため、クラゲの水分は、冷凍による固体状態から昇華して処理タンク１６内に放出される。
【００２７】
そして、この真空凍結乾燥により、クラゲの成分の大半を占める水分は除去され、クラゲは減容化される。さらに、この処理を終えたクラゲは、産業廃棄物として、埋め立てや焼却処理がなされる。このように、クラゲは減容化されるため、廃棄処理コストを低減することができる。また、クラゲは水分が除去された乾燥状態となるため、悪臭の発生も抑えられる。
【００２８】
尚、本発明に係るクラゲ等の海棲生物の処理方法は、上記実施形態に限定されるものではなく、本発明の要旨を逸脱しない範囲で種々の変更が可能である。
【００２９】
例えば、上記実施形態においては、回収したクラゲ等を液化燃料の気化熱を用いて冷凍する工程と、冷凍されたクラゲ等を真空凍結乾燥する工程とを一つの処理タンク１６内で行っているが、これらの工程を別々の装置で行うようにしてもよい。
【００３０】
また、上記実施形態においては、クラゲを冷凍するための気化熱源として、液化燃料であるＬＮＧを用いているが、液化燃料としては、ＬＮＧに限られるものではない。
【図面の簡単な説明】
【００３１】
【図１】第一実施形態に係る発電所のシステム構成図を示す。
【図２】第二実施形態に係る発電所のシステム構成図を示す。
【符号の説明】
【００３２】
１  貯蔵タンク
２  供給ライン
３  燃焼器
３’  ボイラ
４  ガスタービン
５  発電機
９  蒸気タービン
１０  取水口
１２  復水器
１５  熱交換器
１６  処理タンク
１７  真空ポンプ
【図１】
0004721661.tif 000002
【図２】
0004721661.tif 000003